(57)【要約】【課題】  従来の健康状態判定装置には、過去の生体インピーダンス測定値等を有効な形態で基準として用いるものがなく、また、生体インピーダンス値等の日内変動を考慮したものもなかった。よって、より適正な健康状態の判定を期待できなかった。【解決手段】  健康状態判定装置１は、被検者の身体のインピ−ダンス値等を測定する測定手段と、記憶手段と、基準値設定手段と、判定手段と、表示手段とを備える。記憶手段は、測定手段により測定された測定値を測定日時と共に記憶する。基準値設定手段は、過去に測定手段により測定されて記憶手段に記憶された過去の複数の測定値に基づいて基準値を設定する。判定手段は、基準値と、測定手段により測定された現時点の、または、現在日のインピーダンス値等に基づいて設定される現在値とを比較することにより、被検者の現在の健康状態を判定する。表示手段は、判定手段による判定の結果を表示する。【選択図】  図２
2010148971.tif 000002
【特許請求の範囲】
【請求項１】
被検者の身体のインピ−ダンス値  又は／及び  体重値を測定するための測定手段と、
記憶手段と、
基準値設定手段と、
判定手段と、
表示手段とを備え、
該記憶手段は、該測定手段により測定された測定値を測定日時と共に記憶し、
該基準値設定手段は、過去に該測定手段により測定されて該記憶手段に記憶された過去の複数の測定値に基づいて基準値を設定し、
該判定手段は、該基準値と、該測定手段により測定された現時点の、または、現在日のインピーダンス値  又は／及び  体重値に基づいて設定される現在値とを比較することにより、被検者の現在の健康状態を判定し、
該表示手段は、該判定手段による該判定の結果を表示する、健康状態判定装置。
【請求項２】
該測定手段は、被検者の身体のインピ−ダンス値を測定することができ、
該基準値設定手段は、過去に該測定手段により測定されて該記憶手段に記憶された、過去の複数回のインピ−ダンス値の測定による複数の測定値うちの、現時点の時刻と略同時刻に測定された測定値に基づいて基準値を設定し、
該判定手段は、該基準値と現在値とを比較することにより、被検者の現在の健康状態を判定し、
該現在値は、該測定手段により測定された現時点のインピーダンス値の測定値である、請求項１記載の健康状態判定装置。
【請求項３】
該基準値設定手段は、該記憶手段に記憶された、過去の複数回のインピ−ダンス値の測定による複数の測定値うちの、現時点の時刻と略同時刻に測定された複数の測定値の最頻値、中央値または平均値のいづれかを基準値として設定する、請求項２記載の健康状態判定装置。
【請求項４】
該測定手段は、被検者の身体のインピ−ダンス値  及び  体重値を測定することができ、
該基準値設定手段は、過去に該測定手段により測定されて該記憶手段に記憶された、過去の複数回の体重値の測定による複数の測定値うちの最頻値が測定されたときに測定されたインピーダンス値に基づいて基準値を設定し、
該判定手段は、該基準値と現在値とを比較することにより、被検者の現在の健康状態を判定し、
該現在値は、該測定手段により測定された現時点のインピーダンス値の測定値である、請求項１記載の健康状態判定装置。
【請求項５】
該表示手段は、脱水度または飲み過ぎ度を、該判定手段の判定の結果として表示する、請求項２乃至４のいずれか一の項に記載の健康状態判定装置。
【請求項６】
該測定手段は、被検者の体重値を測定することができ、
該基準値設定手段は、過去に該測定手段により測定されて該記憶手段に記憶された、過去の複数回の体重値の測定による複数の測定値うちの、現時点の時刻と略同時刻に測定された測定値に基づいて基準値を設定し、
該判定手段は、該基準値と現在値とを比較することにより、被検者の現在の健康状態を判定し、
該現在値は、該測定手段により測定された現時点の体重値の測定値である、請求項１記載の健康状態判定装置。
【請求項７】
該基準値設定手段は、該記憶手段に記憶された、過去の複数回の体重値の測定による複数の測定値うちの、現時点の時刻と略同時刻に測定された複数の測定値の最頻値、中央値または平均値のいづれかを基準値として設定する、請求項６記載の健康状態判定装置。
【請求項８】
該表示手段は、肥満傾向度または食べ過ぎ度を、該判定手段の判定の結果として表示する、請求項６又は７記載の健康状態判定装置。
【請求項９】
該測定手段は、被検者の身体のインピ−ダンス値を測定することができ、
該基準値設定手段は、該記憶手段に記憶された過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、
該判定手段は、該基準値と現在値とを比較することにより、被検者の現在の健康状態を判定し、
該現在値は、現在日の内の複数回のインピーダンス値の測定によって得られる、現在日のインピーダンス値の日内の変化指標値に基づいて設定される、請求項１記載の健康状態判定装置。
【請求項１０】
該基準値設定手段により求められる、インピーダンス値の日内の変化指標値が、インピーダンス値の日内の変化率であり、
現在日のインピーダンス値の日内の変化指標値が、現在日のインピーダンス値の日内の変化率である、請求項９記載の健康状態判定装置。
【請求項１１】
該基準値設定手段は、過去の複数日におけるインピーダンス値の日内の変化指標値の最頻値、中央値または平均値のいづれかを基準値として設定する、請求項９又は１０記載の健康状態判定装置。
【請求項１２】
該表示手段は、むくみ度または疲労度を、該判定手段の判定の結果として表示する、請求項９乃至１１のいずれか一の項に記載の健康状態判定装置。
【請求項１３】
該測定手段は、被検者の体重値を測定することができ、
該基準値設定手段は、該記憶手段に記憶された過去の複数回の体重値の測定による測定値から、一日の内に複数回の体重値の測定が行われた過去の複数日における体重値の日内の変化指標値を求め、該体重値の日内の変化指標値に基づいて基準値を設定し、
該判定手段は、該基準値と現在値とを比較することにより、被検者の現在の健康状態を判定し、
該現在値は、現在日の内の複数回の体重値の測定によって得られる、現在日の体重値の日内の変化指標値に基づいて設定される、請求項１記載の健康状態判定装置。
【請求項１４】
該基準値設定手段により求められる、体重値の日内の変化指標値が、体重値の日内の変化率であり、
現在日の体重値の日内の変化指標値が、現在日の体重値の日内の変化率である、請求項１３記載の健康状態判定装置。
【請求項１５】
該基準値設定手段は、過去の複数日における体重値の日内の変化指標値の最頻値、中央値または平均値のいづれかを基準値として設定する、請求項１３又は１４記載の健康状態判定装置。
【請求項１６】
該表示手段は、減量傾向度を、該判定手段の判定の結果として表示する、請求項１３乃
至１５のいずれか一の項に記載の健康状態判定装置。
【請求項１７】
被検者の身体特定情報を入力するための入力手段をさらに備え、
該判定手段は、該入力手段により入力された前記身体特定情報に基づいて被検者の現在の健康状態を判定する、請求項１乃至１６のいずれか一の項に記載の健康状態判定装置。
【請求項１８】
被検者の現在の健康状態の判定演算を、演算手段としてのコンピュータに実行させるための健康状態判定用プログラムであって、
記憶手段に記憶された過去の複数の測定値を読み込む読込工程と、
読み込んだ該複数の測定値に基づいて基準値を設定する基準値設定工程と、
該基準値と現在値とを比較することにより、被検者の現在の健康状態を判定する判定工程とを備え、
該記憶手段に記憶された過去の複数の測定値は、被検者の身体のインピ−ダンス値  又は／及び  体重値を測定するための測定手段によって過去に測定された測定値であり、かつ、該測定手段による測定の日時と共に記憶されており、
該現在値は、該測定手段により測定された現時点の、または、現在日のインピーダンス値  又は／及び  体重値に基づいて設定される値である、健康状態判定用プログラム。
【請求項１９】
該読込工程において読み込んだ過去の複数の測定値は、被検者の身体のインピ−ダンス値を測定することができる測定手段によって過去に測定されたインピーダンス値の測定値であり、
該基準値設定工程では、該読込工程で読み込んだ、過去の複数回のインピ−ダンス値の測定による複数の測定値うちの、現時点の時刻と略同時刻に測定された測定値に基づいて基準値を設定し、
該現在値は、該測定手段により測定された現時点のインピーダンス値の測定値である、請求項１８記載の健康状態判定用プログラム。
【請求項２０】
該基準値設定工程では、該読込工程で読み込んだ、過去の複数回のインピ−ダンス値の測定による複数の測定値うちの、現時点の時刻と略同時刻に測定された複数の測定値の最頻値、中央値または平均値のいづれかを基準値として設定する、請求項１９記載の健康状態判定用プログラム。
【請求項２１】
該読込工程において読み込んだ過去の複数の測定値は、被検者の身体のインピ−ダンス値  及び  体重値を測定することができる測定手段によって過去に測定されたインピーダンス値  及び  体重値の測定値であり、
該基準値設定工程では、該読込工程で読み込んだ、過去の複数回の体重値の測定による複数の測定値うちの最頻値が測定されたときに測定されたインピーダンス値に基づいて基準値を設定し、
該現在値は、該測定手段により測定された現時点のインピーダンス値の測定値である、請求項１８記載の健康状態判定用プログラム。
【請求項２２】
該読込工程において読み込んだ過去の複数の測定値は、被検者の体重値を測定することができる測定手段によって過去に測定された体重値の測定値であり、
該基準値設定工程では、該読込工程で読み込んだ、過去の複数回の体重値の測定による複数の測定値うちの、現時点の時刻と略同時刻に測定された測定値に基づいて基準値を設定し、
該現在値は、該測定手段により測定された現時点の体重値の測定値である、請求項１８記載の健康状態判定用プログラム。
【請求項２３】
該基準値設定工程では、該読込工程で読み込んだ、過去の複数回の体重値の測定による
複数の測定値うちの、現時点の時刻と略同時刻に測定された複数の測定値の最頻値、中央値または平均値のいづれかを基準値として設定する、請求項２２記載の健康状態判定用プログラム。
【請求項２４】
該読込工程において読み込んだ過去の複数の測定値は、被検者の身体のインピ−ダンス値を測定することができる測定手段によって過去に測定されたインピーダンス値の測定値であり、
該基準値設定工程では、該読込工程で読み込んだ、過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、
該現在値は、該測定手段による、現在日の内の複数回のインピーダンス値の測定によって得られる、現在日のインピーダンス値の日内の変化指標値に基づいて設定される値である、請求項１８記載の健康状態判定用プログラム。
【請求項２５】
該基準値設定工程では、インピーダンス値の日内の変化率を、インピーダンス値の日内の変化指標値として求め、
現在日のインピーダンス値の日内の変化指標値として得られる値が、現在日のインピーダンス値の日内の変化率である、請求項２４記載の健康状態判定用プログラム。
【請求項２６】
該基準値設定工程では、過去の複数日におけるインピーダンス値の日内の変化指標値の最頻値、中央値または平均値のいづれかを基準値として設定する、請求項２４又は２５記載の健康状態判定用プログラム。
【請求項２７】
該読込工程において読み込んだ過去の複数の測定値は、被検者の体重値を測定することができる測定手段によって過去に測定された体重値の測定値であり、
該基準値設定工程では、該読込工程で読み込んだ、過去の複数回の体重値の測定による測定値から、一日の内に複数回の体重値の測定が行われた過去の複数日における体重値の日内の変化指標値を求め、該体重値の日内の変化指標値に基づいて基準値を設定し、
該現在値は、該測定手段による、現在日の内の複数回の体重値の測定によって得られる、現在日の体重値の日内の変化指標値に基づいて設定される値である、請求項１８記載の健康状態判定用プログラム。
【請求項２８】
該基準値設定工程では、体重値の日内の変化率を、体重値の日内の変化指標値として求め、
現在日の体重値の日内の変化指標値として得られる値が、現在日の体重値の日内の変化率である、請求項２７記載の健康状態判定用プログラム。
【請求項２９】
該基準値設定工程では、過去の複数日における体重値の日内の変化指標値の最頻値、中央値または平均値のいづれかを基準値として設定する、請求項２７又は２８記載の健康状態判定用プログラム。
【請求項３０】
被検者の身体特定情報を入力するための入力手段に入力された前記身体特定情報を読み込む身体特定情報読込工程をさらに備え、
該判定工程では、該身体特定情報に基づいて被検者の現在の健康状態を判定する、請求項１８乃至２９のいずれか一の項に記載の健康状態判定用プログラム。
【発明の詳細な説明】
【技術分野】
【０００１】
本発明は、被検者の身体のインピ−ダンス値を測定し、この測定されたインピーダンス値から被検者の現在の健康状態を判定する健康状態判定装置および健康状態判定用プログラムに関する。
【背景技術】
【０００２】
近年、いわゆる生体電気インピーダンス法を用いた体脂肪計が一般家庭に普及している。この体脂肪計を使えば、健康に関する指標等を簡易に知ることができるので、被検者が自分自身で健康管理を日常的に行うことができる。
【０００３】
このような体脂肪計のなかには、被検者の身体特定情報（デ−タ）と、測定されたインピ−ダンス値（被検者の生体インピーダンス値）とに基づいて、体脂肪率や内臓脂肪面積指数等の脂肪分布に関する種健康指標や、水分量に関する健康指標を算出し、この算出結果を表示することができるものもある。
【０００４】
生体の電気的特徴は次のようなものである。すなわち、生体における、血液、脳脊髄液
及び  筋肉のように多量の水分を含む組織は、高い導電性を示す導電性組織である。これに対し、脂肪、骨  及び  肺のように、空気で満たされた部位は、電気的に高い抵抗性を示す絶縁性組織である。
【０００５】
生体電気インピーダンス法は、このような生体の電気的特徴を利用している。生体電気インピーダンス法は、体内に微弱な交流電流を流して生体インピーダンス値（抵抗値）を測定し、この測定値から身体組成を分析する方法である。なお、生体における電流経路は、主に生体中の最小のレジスタンス経路によって構成される。つまり、電流は主に、生体中の最小のレジスタンス経路を通る。よって、除脂肪組織のうちの大部分を占める筋肉や、細胞外液（例えば、間質液、血漿、脳脊髄液、リンパ液）などが主な電流経路となる。
【０００６】
生体電気インピーダンス法は、元々は、１９５９年にＮｙｂｏｅｒ．Ｊ（ニベア・ジェイ）が、ヒトの生理機能に関する様々な局面（例えば血流に関する機能）を研究するために使用し始めたものである。その当時は、主に、体内水分量の測定に利用されていた。
【０００７】
生体電気インピーダンス法において、低周波数の交流電流を用いると、細胞外液に関する測定を有効に行うことができる。また、高周波数の交流電流を用いると、細胞内液に関する測定を有効に行うことができる。生体電気インピーダンス法は、体内水分量の詳細な研究には欠かせない手法となっている。
【０００８】
近年では、体脂肪計の普及により、生体電気インピーダンス法が脂肪測定に利用されることが多くなっている。しかし、従来の体脂肪計では、現在の健康状態（水分や食事の摂取量やその影響度）を適格且つ簡単に知ることはでない。
【０００９】
なぜなら、被検者の生体インピーダンス値や体重値は、日によって変動するし、さらに、同一日内の時刻によっても変動するものであるのに、従来の体脂肪計で、これらの変動が考慮されていないからである。
【００１０】
人の生体内の水分量は、５０〜６０％（重量％）程度であり、時間的にほぼ一定しているが、わずかには変動する。その変動の大きさは、一般的には、約２％であると言われている。このわずかな変動は、腎機能障害等の重病患者の生体ではない限りは、最終的には
元どおりに回復する。
【００１１】
しかし、このわずかな変動が、脱水やむくみ（水分過多）の原因となっているのである。
【００１２】
脱水とは、細胞内外の水分に関して起こる疾患である。脱水による水分喪失の割合に応じて、疾患は、等張性脱水症（コレラ，熱傷等），水分欠乏型高張性脱水症（嘔吐，下痢等），ナトリウム欠乏型低張性脱水症（副腎皮質不全等）に分類される。
【００１３】
むくみとは、体内に余分な水分が溜まっている状態の疾患である。むくみは、血管壁から細胞内外（皮下）に水分が漏れたときに生ずる。
【００１４】
むくみも多種に分類されるが、全身性浮腫と呼ばれる心臓性，腎性，肝臓性のむくみは、ときとして重大疾患へと繋がる。
【００１５】
以上の説明から理解されるように、体内水分量の変動を把握することは、重大な疾患を予防する上で、非常に重要である。
【００１６】
図２１は、生体電気インピーダンス法を使って、４名の被検者の右腕、左腕、体幹部、右脚、左脚のそれぞれの生体インピーダンス値を、連続して１０日間に渡って１日に４回測定し、その４名の測定結果を平均化して示した図である。測定時刻は、８時３０分、１１時０分、１３時３０分および１６時０分である。図では、朝（８時３０分）のインピーダンス値を基準値（１００％）として、その後のインピーダンス値を基準値（朝のインピーダンス値）に対する割合として表示している。なお、このときの生体電気インピーダンス法に用いた交流電流の周波数は、５０ｋＨｚである。
【００１７】
図２１から理解されるように、生体の各部のインピーダンス値は、実際には、１日のうちでもかなり変動している。
【００１８】
図２１から理解されるように、腕や体幹部のインピーダンス値は、朝、低下している。これは、就寝時の水分バランスの偏りによるものである。脚に関しては、インピーダンス値の朝の低下は見られない。
【００１９】
しかし、腕と体幹部は夕方もインピーダンス値が低下している。脚に関しては、夕方のインピーダンス値の低下が顕著である。
【００２０】
なお、体幹部のインピーダンス値が１１時０分から１３時３０分までの間に大きく変動しているのは、昼食を摂取した影響であると考えられる。
【００２１】
下表（表１）は、被検者の右脚のインピーダンス値を連続して１０日間に渡って朝の時間帯のうちの所定時刻と夕方の時間帯の所定時刻とに測定し、朝から夕方にかけてインピーダンス値がどのように変化するかを示すものである。この表では朝のインピーダンス値を基準値（１００％）とし、夕方のインピーダンス値の基準値（朝のインピーダンス値）に対する割合を示している。
【００２２】
【表１】
2010148971.tif 000003
【００２３】
表１から理解されるように、右脚のインピーダンス値は日によってかなり変動している。大きな変化を示す日、すなわち表中で小さな数値が示されている日は、右脚に水分が多く溜まって、むくみが生じていると考えられる。
【００２４】
なお、さらに右腕以外の部位の測定結果を含めて、さらに詳細にこれら測定結果を分析すると、朝から夕方にかけての右脚のインピーダンス値の変化率は、右脚のインピーダンス値の夕方における測定値とは相関が高く、右脚のインピーダンス値の朝における測定値とは相関が低いことが判明した。このことから、朝から夕方にかけての右脚のインピーダンス値の変化率は、夕方における右脚のインピーダンス値に大きく依存すると考えられる。
【００２５】
下表（表２）は、被検者の両腕のインピーダンス値を連続して１０日間に渡って、朝の時間帯のうちの所定時刻に測定し、その測定結果を表したものである。単位はオームである。
【００２６】
【表２】
2010148971.tif 000004
【００２７】
表２から、被検者の両腕のインピーダンス値が日によってかなり大きく変動していることが理解される。
【００２８】
表２において、４日目のインピーダンス値が比較的大きくなっているのは、前日の夜の多量の飲酒によるものと考えられる。９日目のインピーダンス値が比較的大きくなっているのは、体調不良によるものと考えられる。また、７日目のインピーダンス値が特に大きくなっているのは、前日の夜の多量の飲酒と体調不良とによるものと考えられる。
【００２９】
なお、さらに朝以外の時間帯に測定した両腕のインピーダンス値も分析した。その結果、表２に表れている結果と同様に、朝以外の時間帯でも日によってかなり大きく両腕のインピーダンス値が変動していることが判明した。
【００３０】
一方、体重値の管理も健康維持に有効である。体重値の日内変動（一日のうちの変動）
は、１日の食事量や運動量の管理することによる療法（食事運動療法）の効果を確認するための指標になる。起床時と就寝前に体重値の測定を行った場合、起床時の体重値に対する就寝前の体重値が１００．７％以下であることは、体重が減少傾向にあることを示唆する。
【００３１】
また、ある日の起床時の体重値を、過去の日の起床時の体重値と比較するだけでも、暴飲暴食や運動不足を防ぐための指標を得ることができる。
【００３２】
このように、体重値の変化を把握することも、体調を良好に維持する上で有効であると考えられる。
【００３３】
なお、過去の生体インピーダンス値の平均値を現在の生体インピーダンス値と比較することによりむくみの判定をする技術（例えば、特許文献１参照）や、過去に測定した生体インピーダンス値からむくみ指標値を算出し、過去のむくみ指標値の平均値を算出し、この平均値を現在のむくみ指標値と比較することによりむくみの度合いの判定をする技術（例えば、特許文献２参照）が提案されている。
【００３４】
しかし、これらの技術では、現在のインピーダンス値やむくみ指標値の比較対象となる基準値（平均インピーダンス値や平均むくみ指標値）を、生体インピーダンス値やむくみ指標値の日内変動を考慮せずに設定しているため、正確な判定は期待できない。
【先行技術文献】
【特許文献】
【００３５】
【特許文献１】特開２００１−１８７０３６号公報（５頁、図１０）
【特許文献２】特開２００１−１９８０９８号公報（６頁、図２）
【発明の概要】
【発明が解決しようとする課題】
【００３６】
本願発明が解決しようとする課題は、生体インピーダンスや体重値の過去の測定値をより有効に利用することにより、現在の被検者の健康状態をより適正に判定することができるような、健康状態判定装置および健康状態判定用プログラムを提供することにある。
【課題を解決するための手段】
【００３７】
上記課題を解決するために、この出願に係る健康状態判定装置は、被検者の身体のインピ−ダンス値  又は／及び  体重値を測定するための測定手段と、記憶手段と、基準値設定手段と、判定手段と、表示手段とを備え、該記憶手段は、該測定手段により測定された測定値を測定日時と共に記憶し、該基準値設定手段は、過去に該測定手段により測定されて該記憶手段に記憶された過去の複数の測定値に基づいて基準値を設定し、該判定手段は、該基準値と、該測定手段により測定された現時点の、または、現在日のインピーダンス値  又は／及び  体重値に基づいて設定される現在値とを比較することにより、被検者の現在の健康状態を判定し、該表示手段は、該判定手段による該判定の結果を表示する。
【００３８】
また、上記課題を解決するために、この出願に係る健康状態判定用プログラムは、被検者の現在の健康状態の判定演算を、演算手段としてのコンピュータに実行させるための健康状態判定用プログラムであって、記憶手段に記憶された過去の複数の測定値を読み込む読込工程と、読み込んだ該複数の測定値に基づいて基準値を設定する基準値設定工程と、該基準値と現在値とを比較することにより、被検者の現在の健康状態を判定する判定工程とを備え、該記憶手段に記憶された過去の複数の測定値は、被検者の身体のインピ−ダンス値  又は／及び  体重値を測定するための測定手段によって過去に測定された測定値であり、かつ、該測定手段による測定の日時と共に記憶されており、該現在値は、該測定手段により測定された現時点の、または、現在日のインピーダンス値  又は／及び  体重値に基づいて設定される値である。
【発明の効果】
【００３９】
本願発明は、上記のような構成であるため、被検者の生活習慣等が考慮された、より的確な健康状態の判定が可能となる。
【図面の簡単な説明】
【００４０】
【図１】健康状態判定装置の未使用時の外観図である。
【図２】体重測定部から本体部を離脱させたときの状態を示す、健康状態判定装置の外観図である。
【図３】本体部の正面図である。
【図４】健康状態判定装置１の電気的信号処理に関するブロック図である。
【図５】人体におけるインピーダンス構成を模式的に示す図である。
【図６】生体インピーダンス値の基準値を求めるためのフローチャートである。
【図７】生体インピーダンス値の基準値を求めるためのフローチャートである。
【図８】脱水状態判定のための工程の一例を示すフローチャートである。
【図９】表示部の表示状態を示す図である。
【図１０】表示器の表示状態を示す図である。
【図１１】肥満傾向判定のための工程の一例を示すフローチャートである。
【図１２】表示部の表示状態を示す図である。
【図１３】表示器の表示状態を示す図である。
【図１４】生体インピーダンス値の日内変化率の基準値を求めるためのフローチャートである。
【図１５】むくみ判定のための工程の一例を示すフローチャートである。
【図１６】表示部の表示状態を示す図である。
【図１７】表示器の表示状態を示す図である。
【図１８】減量傾向判定のための工程の一例を示すフローチャートである。
【図１９】表示部の表示状態を示す図である。
【図２０】表示器の表示状態を示す図である。
【図２１】被検者の生体インピーダンス値を１日に４回測定したときの測定結果を示す図である。
【発明を実施するための形態】
【００４１】
上記「課題を解決するための手段」に記載した健康状態判定装置において、さらに、該測定手段は、被検者の身体のインピ−ダンス値を測定することができ、該基準値設定手段は、過去に該測定手段により測定されて該記憶手段に記憶された、過去の複数回のインピ−ダンス値の測定による複数の測定値うちの、現時点の時刻と略同時刻に測定された測定値に基づいて基準値を設定し、該判定手段は、該基準値と現在値とを比較することにより、被検者の現在の健康状態を判定し、該現在値は、該測定手段により測定された現時点のインピーダンス値の測定値であってもよい。このように構成すると、被検者の生活習慣等による生体インピーダンス値の日内の変動の影響を除去して、より的確に健康状態を判定することができる。前記健康状態判定装置において、該基準値設定手段は、該記憶手段に記憶された、過去の複数回のインピ−ダンス値の測定による複数の測定値うちの、現時点の時刻と略同時刻に測定された複数の測定値の最頻値、中央値または平均値のいづれかを基準値として設定するようにしてもよい。また前記健康状態判定装置において、該表示手段は、脱水度または飲み過ぎ度を、該判定手段の判定の結果として表示するようにしてもよい。
【００４２】
また、上記「課題を解決するための手段」に記載した健康状態判定装置において、さらに、該測定手段は、被検者の身体のインピ−ダンス値  及び  体重値を測定することができ、該基準値設定手段は、過去に該測定手段により測定されて該記憶手段に記憶された、過去の複数回の体重値の測定による複数の測定値うちの最頻値が測定されたときに測定されたインピーダンス値に基づいて基準値を設定し、該判定手段は、該基準値と現在値とを比較することにより、被検者の現在の健康状態を判定し、該現在値は、該測定手段により測定された現時点のインピーダンス値の測定値であってもよい。このように構成すると、被検者の生活習慣等による体重値の変動の影響を除去して、より的確に健康状態を判定することができる。前記健康状態判定装置において、該表示手段は、脱水度または飲み過ぎ度を、該判定手段の判定の結果として表示するようにしてもよい。
【００４３】
また、上記「課題を解決するための手段」に記載した健康状態判定装置において、さらに、該測定手段は、被検者の体重値を測定することができ、該基準値設定手段は、過去に該測定手段により測定されて該記憶手段に記憶された、過去の複数回の体重値の測定による複数の測定値うちの、現時点の時刻と略同時刻に測定された測定値に基づいて基準値を設定し、該判定手段は、該基準値と現在値とを比較することにより、被検者の現在の健康状態を判定し、該現在値は、該測定手段により測定された現時点の体重値の測定値であってもよい。このように構成すると、被検者の生活習慣等による体重値の日内の変動の影響を除去して、より的確に健康状態を判定することができる。前記健康状態判定装置において、該基準値設定手段は、該記憶手段に記憶された、過去の複数回の体重値の測定による複数の測定値うちの、現時点の時刻と略同時刻に測定された複数の測定値の最頻値、中央値または平均値のいづれかを基準値として設定するようにしてもよい。また前記健康状態判定装置において、該表示手段は、肥満傾向度または食べ過ぎ度を、該判定手段の判定の結果として表示するようにしてもよい。
【００４４】
また、上記「課題を解決するための手段」に記載した健康状態判定装置において、さらに、該測定手段は、被検者の身体のインピ−ダンス値を測定することができ、該基準値設定手段は、該記憶手段に記憶された過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づ
いて基準値を設定し、該判定手段は、該基準値と現在値とを比較することにより、被検者の現在の健康状態を判定し、該現在値は、現在日の内の複数回のインピーダンス値の測定によって得られる、現在日のインピーダンス値の日内の変化指標値に基づいて設定されるようにしてもよい。このように、現在日におけるインピーダンス値の日内変化を、過去の日内変化と比較するようにすることにより、単なる、一の時点における測定に基づく判定よりも、より的確に健康状態を判定することができる。前記健康状態判定装置において、該基準値設定手段により求められる、インピーダンス値の日内の変化指標値が、インピーダンス値の日内の変化率であり、現在日のインピーダンス値の日内の変化指標値が、現在日のインピーダンス値の日内の変化率であるようにしてもよい。また前記健康状態判定装置において、該基準値設定手段は、過去の複数日におけるインピーダンス値の日内の変化指標値の最頻値、中央値または平均値のいづれかを基準値として設定するようにしてもよい。また前記健康状態判定装置において、該表示手段は、むくみ度または疲労度を、該判定手段の判定の結果として表示するようにしてもよい。
【００４５】
また、上記「課題を解決するための手段」に記載した健康状態判定装置において、さらに、該測定手段は、被検者の体重値を測定することができ、該基準値設定手段は、該記憶手段に記憶された過去の複数回の体重値の測定による測定値から、一日の内に複数回の体重値の測定が行われた過去の複数日における体重値の日内の変化指標値を求め、該体重値の日内の変化指標値に基づいて基準値を設定し、該判定手段は、該基準値と現在値とを比較することにより、被検者の現在の健康状態を判定し、該現在値は、現在日の内の複数回の体重値の測定によって得られる、現在日の体重値の日内の変化指標値に基づいて設定されるようにしてもよい。このように、現在日における体重値の日内変化を、過去の日内変化と比較するようにすることにより、単なる、一の時点における測定に基づく判定よりも、より的確に健康状態を判定することができる。前記健康状態判定装置において、該基準値設定手段により求められる、体重値の日内の変化指標値が、体重値の日内の変化率であり、現在日の体重値の日内の変化指標値が、現在日の体重値の日内の変化率であるようにしてもよい。また前記健康状態判定装置において、該基準値設定手段は、過去の複数日における体重値の日内の変化指標値の最頻値、中央値または平均値のいづれかを基準値として設定するようにしてもよい。また前記健康状態判定装置において、該表示手段は、減量傾向度を、該判定手段の判定の結果として表示するようにしてもよい。
【００４６】
また、以上に記載した全ての健康状態判定装置において、さらに、被検者の身体特定情報を入力するための入力手段をさらに備え、該判定手段は、該入力手段により入力された前記身体特定情報に基づいて被検者の現在の健康状態を判定するようにしてもよい。このように構成すると、被検者の個人的な身体特定情報が考慮されて、より的確に健康状態を判定することができる。ここに言う「身体特定情報」とは、被検者の身体の特徴を特定するための個人的な情報のことであり、例えば「性別」「年令」「身長」「体重」などのことである。
【００４７】
また、上記「課題を解決するための手段」に記載した健康状態判定用プログラムにおいて、さらに、該読込工程において読み込んだ過去の複数の測定値は、被検者の身体のインピ−ダンス値を測定することができる測定手段によって過去に測定されたインピーダンス値の測定値であり、該基準値設定工程では、該読込工程で読み込んだ、過去の複数回のインピ−ダンス値の測定による複数の測定値うちの、現時点の時刻と略同時刻に測定された測定値に基づいて基準値を設定し、該現在値は、該測定手段により測定された現時点のインピーダンス値の測定値であるようにしてもよい。このように構成すると、被検者の生活習慣等による生体インピーダンス値の日内の変動の影響を除去して、より的確に健康状態を判定することができる。前記健康状態判定用プログラムにおいて、該基準値設定工程では、該読込工程で読み込んだ、過去の複数回のインピ−ダンス値の測定による複数の測定値うちの、現時点の時刻と略同時刻に測定された複数の測定値の最頻値、中央値または平
均値のいづれかを基準値として設定するようにしてもよい。
【００４８】
また、上記「課題を解決するための手段」に記載した健康状態判定用プログラムにおいて、さらに、該読込工程において読み込んだ過去の複数の測定値は、被検者の身体のインピ−ダンス値  及び  体重値を測定することができる測定手段によって過去に測定されたインピーダンス値  及び  体重値の測定値であり、該基準値設定工程では、該読込工程で読み込んだ、過去の複数回の体重値の測定による複数の測定値うちの最頻値が測定されたときに測定されたインピーダンス値に基づいて基準値を設定し、該現在値は、該測定手段により測定された現時点のインピーダンス値の測定値であるようにしてもよい。このように構成すると、被検者の生活習慣等による体重値の変動の影響を除去して、より的確に健康状態を判定することができる。
【００４９】
また、上記「課題を解決するための手段」に記載した健康状態判定用プログラムにおいて、さらに、該読込工程において読み込んだ過去の複数の測定値は、被検者の体重値を測定することができる測定手段によって過去に測定された体重値の測定値であり、該基準値設定工程では、該読込工程で読み込んだ、過去の複数回の体重値の測定による複数の測定値うちの、現時点の時刻と略同時刻に測定された測定値に基づいて基準値を設定し、該現在値は、該測定手段により測定された現時点の体重値の測定値であるようにしてもよい。このように構成すると、被検者の生活習慣等による体重値の日内の変動の影響を除去して、より的確に健康状態を判定することができる。前記健康状態判定用プログラムにおいて、該基準値設定工程では、該読込工程で読み込んだ、過去の複数回の体重値の測定による複数の測定値うちの、現時点の時刻と略同時刻に測定された複数の測定値の最頻値、中央値または平均値のいづれかを基準値として設定するようにしてもよい。
【００５０】
また、上記「課題を解決するための手段」に記載した健康状態判定用プログラムにおいて、さらに、該読込工程において読み込んだ過去の複数の測定値は、被検者の身体のインピ−ダンス値を測定することができる測定手段によって過去に測定されたインピーダンス値の測定値であり、該基準値設定工程では、該読込工程で読み込んだ、過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、該現在値は、該測定手段による、現在日の内の複数回のインピーダンス値の測定によって得られる、現在日のインピーダンス値の日内の変化指標値に基づいて設定される値であるようにしてもよい。このように、現在日におけるインピーダンス値の日内変化を、過去の日内変化と比較するようにすることにより、単なる、一の時点における測定に基づく判定よりも、より的確に健康状態を判定することができる。前記健康状態判定用プログラムにおいて、該基準値設定工程では、インピーダンス値の日内の変化率を、インピーダンス値の日内の変化指標値として求め、現在日のインピーダンス値の日内の変化指標値として得られる値が、現在日のインピーダンス値の日内の変化率であるようにしてもよい。また前記健康状態判定用プログラムにおいて、該基準値設定工程では、過去の複数日におけるインピーダンス値の日内の変化指標値の最頻値、中央値または平均値のいづれかを基準値として設定するようにしてもよい。
【００５１】
また、上記「課題を解決するための手段」に記載した健康状態判定用プログラムにおいて、さらに、該読込工程において読み込んだ過去の複数の測定値は、被検者の体重値を測定することができる測定手段によって過去に測定された体重値の測定値であり、該基準値設定工程では、該読込工程で読み込んだ、過去の複数回の体重値の測定による測定値から、一日の内に複数回の体重値の測定が行われた過去の複数日における体重値の日内の変化指標値を求め、該体重値の日内の変化指標値に基づいて基準値を設定し、該現在値は、該測定手段による、現在日の内の複数回の体重値の測定によって得られる、現在日の体重値
の日内の変化指標値に基づいて設定される値であるようにしてもよい。このように、現在日における体重値の日内変化を、過去の日内変化と比較するようにすることにより、単なる、一の時点における測定に基づく判定よりも、より的確に健康状態を判定することができる。前記健康状態判定用プログラムにおいて、該基準値設定工程では、体重値の日内の変化率を、体重値の日内の変化指標値として求め、現在日の体重値の日内の変化指標値として得られる値が、現在日の体重値の日内の変化率であるようにしてもよい。また前記健康状態判定用プログラムにおいて、該基準値設定工程では、過去の複数日における体重値の日内の変化指標値の最頻値、中央値または平均値のいづれかを基準値として設定するようにしてもよい。
【００５２】
また、以上に記載した全ての健康状態判定用プログラムにおいて、さらに、被検者の身体特定情報を入力するための入力手段に入力された前記身体特定情報を読み込む身体特定情報読込工程をさらに備え、該判定工程では、該身体特定情報に基づいて被検者の現在の健康状態を判定するようにしてもよい。このようにすると、被検者の個人的な身体特定情報が考慮されて、より的確に健康状態を判定することができる。ここに言う「身体特定情報」とは、被検者の身体の特徴を特定するための個人的な情報のことであり、例えば「性別」「年令」「身長」「体重」などのことである。
【実施例１】
【００５３】
以下、本願発明の一実施形態たる健康状態判定装置を図面を参照しつつ説明する。
【００５４】
図１は、健康状態判定装置１の未使用時の外観図である。健康状態判定装置は、主に、本体部２と体重測定部４とにより構成されている。体重測定部４には本体部２を収納するための本体収納部が形成されており、ここに本体部２の脱着部２ａを嵌め込むことができるようになっている。体重測定部４の本体収納部に、本体部２の脱着部２ａを嵌め込むと、健康状態判定装置１は図１に示すような状態となる。本体部２は、体重測定部４から自在に脱着できる。
【００５５】
図２は、体重測定部４から本体部２を離脱させたときの状態を示す、健康状態判定装置１の外観図である。健康状態判定装置１を使用するときは、このように体重測定部４から本体部２を離脱させ、本体部２を両手で保持する。
【００５６】
図３は本体部２の正面図である。
【００５７】
図４は、健康状態判定装置１の電気的信号処理に関するブロック図である。
【００５８】
図１、図２、図３、図４を参照しつつ、健康状態判定装置１の概略構成を説明する。
【００５９】
前述したように、健康状態判定装置１は、主に、本体部２と体重測定部４とにより構成されている。本体部２と体重測定部４とは信号ケ−ブル３によって接続されている。信号ケーブル３は多芯のケーブルである。本体部２が有する部材と体重測定部４が有する部材との間で必要となる電気信号の送受信や電流の送受は、すべて信号ケーブル３を介してなされる。
【００６０】
図４に示されるように、健康状態判定装置１は、電気的には、主に、電極Ｅ１〜Ｅ８、インピーダンス測定回路８、操作部６、表示部５、ロードセル１０、計時手段１４、Ｉ／Ｏポート１２、演算処理部１３により構成されている。演算処理部１３は、主に、ＣＰＵによって構成される中央処理部１５と、半導体メモリによって構成される記憶部１６とを有している。
【００６１】
電極Ｅ５、Ｅ６、Ｅ７、Ｅ８  及び  ロードセル１０は、体重測定部４に設けられた部材である。電極Ｅ１、Ｅ２、Ｅ３、Ｅ４、インピーダンス測定回路８、操作部６、表示部５、計時手段１４、Ｉ／Ｏポート１２、演算処理部１３は、本体部２に設けられた部材である。電極Ｅ５、Ｅ６、Ｅ７、Ｅ８とインピーダンス測定回路８との間、および、ロードセル１０とＩ／Ｏポート１２との間は、信号ケーブル３によって接続されている。また、インピーダンス測定回路８、操作部６、表示部５、ロードセル１０  及び  計時手段１４と、演算処理部１３との間の電気信号やデータの伝送は、すべてＩ／Ｏポート１２を介して行われる。また、図示してはいないが、各種信号やデ−タは、必要に応じてＡ／Ｄ変換器（図示せず）でディジタル化されて伝送される。演算処理部１３での演算処理が、ディジタル処理だからである。
【００６２】
インピ−ダンス測定回路８は、電極切換スイッチ部、電流源、電圧測定部等を備えている。インピ−ダンス測定回路８の電流源は、電極切換スイッチ部を介して電極Ｅ１、Ｅ４、Ｅ５、Ｅ８のうちの任意の二の電極に接続される。
【００６３】
例えば、電極Ｅ１及びＥ５または電極Ｅ４及びＥ８を介して各々、人体の左手と左足または右手と右足を末端とする電流路を形成することができる。
【００６４】
この電流源は交流周波数の電流を発生させるものである。電流源は、複数の所定の周波数のうちの選択された一の周波数の交流電流を発生させることができる。
【００６５】
また、インピ−ダンス測定回路８の電圧測定部は、電極切換スイッチ部を介して四つの電極Ｅ２，Ｅ３，Ｅ６，Ｅ７のうちの任意の二の電極に接続される。電流源が接続される電極  及び  電圧測定部が接続される電極を、電極切換スイッチ部によって順次切替えてゆくことにより、身体の種々の部位の間の電位差（電圧）を検出することができる。電圧測定部が検出した電圧のデータは、Ｉ／Ｏポートを介して演算処理部１３に伝送される。
【００６６】
演算処理部１３は電流源によって発生させる電流値を予め知っているので、電圧測定部からの電圧データを得ることによりインピーダンスを算出することができる。なお、インピーダンス算出のための演算は、演算処理部１３の中央処理部１５によってなされる。
【００６７】
再度、図２、図３を参照すると理解されるように、本体部２は、比較的薄型の形状をなす。
【００６８】
本体部２は携帯可能である。つまり、被検者（使用者）は本体部２を手で持つことができる。より詳細に説明すると、本体部２には、その左右端に左突出部７ａと右突出部７ｂとが形成されている。両突出部７ａ,７ｂは、左右方向に突出した板状の部分である。比
被検者は左手で左突出部７ａを、右手で右突出部７ｂを把持することによって、本体部２を保持することができる。左突出部７ａの上端面には第一の電極Ｅ１が配設されている。左突出部７ａの下端面には第二の電極Ｅ２が配設されている。右突出部７ｂの上端面には第四の電極Ｅ４が配設されている。右突出部７ｂの下端面には第三の電極Ｅ３が配設されている。
【００６９】
被検者は本体部２の両突出部７ａ、７ｂを次のように把持する。つまり、被検者は、左手の人指し指が電極Ｅ１に接触するように、かつ、左手の親指が電極Ｅ２に接触するようにして、左手で左突出部７ａを把持する。また、右手の人指し指が電極Ｅ４に接触するように、かつ、右手の親指が電極Ｅ３に接触するようにして、右手で右突出部７ｂを把持する。
【００７０】
図２を参照すると、体重測定部４の上面は測定面９として構成されており、そこ（測定
面９）には電極Ｅ５、Ｅ６、Ｅ７、Ｅ８が配設されている。
【００７１】
体重測定部４にはロードセル１０が内蔵されていることを上述した。ロ−ドセル１０は被検者の体重を測定するための体重値測定手段を構成する。よって被検者は自らの体重を測定するために、体重測定部４の測定面９上に乗る。被検者が測定面９上に乗ると、被検者の体重値がロ−ドセル１０によって検出される。ロ−ドセル１０によって検出された被検者の体重デ−タは、検出精度を保持するべく特に図示されないアンプによって増幅された後にＡ／Ｄ変換され、ディジタル信号としてＩ／Ｏポート１２を介して演算処理部１３に入力され、記憶部１６に記憶される。
【００７２】
また測定面９上に被検者が乗ると、被検者の足の裏が各電極Ｅ５、Ｅ６、Ｅ７、Ｅ８に接触する。より詳細に説明すると、体重測定部４に被検者が乗ると、被検者の左足の裏の土踏まずより前方部分（この部分を以下、「左足母指丘部分」とも呼ぶ）が電極Ｅ５に接触する。また、左足の裏の踵部分が電極Ｅ６に接触する。また、右足の裏の土踏まずより前方部分（この部分を以下、「右足母指丘部分」とも呼ぶ）が電極Ｅ８に接触する。また、右足の裏の踵部分が電極Ｅ７に接触する。
【００７３】
本体部２や体重測定部４に配設された電極Ｅ１〜Ｅ８は後述するインピ−ダンス測定回路８とともに、被検者の身体の各部の生体インピ−ダンス値を測定するための、インピ−ダンス測定手段を構成する。
【００７４】
これら電極Ｅ１〜Ｅ８のうちの、電極Ｅ１、Ｅ４、Ｅ５、Ｅ８は、被検者の身体に電流路を形成するための電流路形成用電極である。
【００７５】
一方、電極Ｅ２、Ｅ３、Ｅ６、Ｅ７は、被検者の身体に生ずる電圧分布に応じて２極間の電圧を測定するための電圧測定用電極である。
【００７６】
四の電流路形成用電極Ｅ１、Ｅ４、Ｅ５、Ｅ８の内の二の電極間で所定周波数の微弱な交流電流を流すと、この電流によって被検者の身体に電圧分布が生ずる。このような状態において、四の電圧測定用電極Ｅ２、Ｅ３、Ｅ６、Ｅ７の内の二の電極間の電圧を測定する。そして、被検者の身体を流れる電流の電流値と、測定された電圧値とから、生体インピーダンス値を算出することができる。この生体インピーダンス値の算出は、演算処理部１３においてなされる。なお当然ながら、電極Ｅ１，Ｅ２，Ｅ３，Ｅ４、Ｅ５、Ｅ６、Ｅ７、Ｅ８は、インピ−ダンス測定回路８に電気的に接続されている。
【００７７】
図５は、人体におけるインピーダンス構成を模式的に示す図である。この図を参照しつつ、電極Ｅ１〜Ｅ８にる被検者の身体各部の生体インピーダンス値の測定例を、以下に簡単に説明する。
図中のインピーダンスＺ１は左腕の生体インピーダンスに相当し、
インピーダンスＺ２は右腕の生体インピーダンスに相当し、
インピーダンスＺ３は体幹部の生体インピーダンスに相当し、
インピーダンスＺ４は左脚の生体インピーダンスに相当し、
インピーダンスＺ５は右脚の生体インピーダンスに相当する。
【００７８】
この図を参酌しつつ、被検者のある部位の生体インピーダンス値がどのようにして測定されるかを例示する。例えば、電極Ｅ１と電極Ｅ５との間に電流が流されると、左手の指と左足の裏を末端とした電流路が人体に形成される。このときの電流路は、図中のインピーダンスＺ１、Ｚ３およびＺ４によって形成される。このような電流路が形成されているときに、電極Ｅ３と電極Ｅ７との間の電圧を測定すると、インピーダンスＺ３、すなわち体幹部の生体インピーダンス値を求めることができる。
【００７９】
また例えば、電極Ｅ１と電極Ｅ５との間に電流を流し、電極Ｅ２と電極Ｅ３との間の電圧を測定すると、インピーダンスＺ１、すなわち左腕の生体インピーダンス値を求めることができる。
【００８０】
これらの例から理解されるように、電流路形成用電極と、電圧測定用電極とを選択することにより、左腕の生体インピーダンス値、右腕の生体インピーダンス値、体幹部の生体インピーダンス値、左脚の生体インピーダンス値、右脚の生体インピーダンス値を各々測定することができる。
【００８１】
このようにして、左腕、右腕、体幹部、左脚  及び  右脚の各部位毎の生体インピ−ダンス値を測定することができる。
【００８２】
また、種々の周波数の交流電流による生体インピーダンス値の測定により、被検者の身体の細胞外液及び細胞内液の比率を求めることもできる。
【００８３】
以上、電極Ｅ１〜Ｅ８にる被検者の身体各部の生体インピーダンス値の測定例を説明した。
【００８４】
図３を参照すると、本体部２の外表面には、表示部５や操作部６が表れている。表示部５は、本体部２の正面の左側に配設されており、操作部６は、本体部２の正面の右側に配設されている。
【００８５】
図３を参照しつつ、まず、操作部６について説明する。
【００８６】
操作部６には、電源ＯＮ／ＯＦＦキ−６ａ、各種モード切替キー６ｂ、各種個人デ−タの設定画面切り替えキー６ｃ、前記個人デ−タ等及び測定データの登録キー６ｄ、被検者の健康状態の判定を行う判定キー６ｅ、前記個人デ−タの入力のためのテンキ−６ｆ、被検者の体重や被検者の各部の生体インピーダンス値の測定を開始するための測定キー６ｇなどが含まれている。
【００８７】
上記各種個人データとは、被検者の性別、年令、身長、体重別等に関するデータのことであり、「身体特定情報」に相当する。
【００８８】
被検者は、操作部６を使って、自らの性別、年令、身長  及び  体重等の各種デ−タを健康状態判定装置１に入力することができる。
【００８９】
健康状態判定装置１の操作はすべて操作部６を介して行われる。例えば、電源キ−６ａを操作にすることで、健康状態判定装置１が待機状態になり、続いてモード切替キー６ｂにより複数の測定モ−ドから一の測定モードを選択できる。また、被検者が体重測定部４に載った状態で測定キ−６ｇを操作すると、被検者の体重値が測定され、その測定値が安定したか否かの判定が行われ、測定が安定したと判定されるとそのときの測定値が被検者の体重値として、記憶部１６に記憶される。
【００９０】
なお被検者の体重値は、体重測定部４の体重値測定手段（ロードセル１０）により測定することもできるので、あえて登録キー６ｄやテンキー６ｆを使って体重データを入力する必要はない。しかし、被検者の体重が既知である場合に、登録キー６ｄやテンキー６ｆを使って体重データを入力することができるように、健康状態判定装置１は構成されている。
【００９１】
以上、操作部６について簡単に説明した。
【００９２】
次に表示部５について説明する。
【００９３】
表示部５には、操作部６から入力された被検者の身体特定情報、つまり、被検者の身長、体重、年令、性別等が表示される。
【００９４】
また表示部５には、体重測定部４のロ−ドセル１０により検出された被検者の体重値も表示される。
【００９５】
また表示部５には、演算処理部１３による演算結果、判定結果等も表示される。具体的には、演算処理部１３により演算された被検者の身体の各部の生体インピーダンス値、生体インピーダンス値の日内変化率、体重値の日内変化率、健康状態指数（健康状態判定結果）などが表示される。
【００９６】
また表示部５には、過去の体重測定値や過去の生体インピーダンス測定値を表示することもできる。これらの過去の測定値は、演算処理部１３の記憶部１６に記憶されている。よって、演算処理部１３が記憶部１６からこれらのデータを読み出して表示部５に表示することができるのである。
【００９７】
また、表示部５には、健康状態指数を表示することができる。健康状態指数とは、演算処理部１３が、現在の体重値や現在の生体インピーダンス値を基準値と比較することにより算出する健康状態の判定結果である。例えば、食べ過ぎ度、飲み過ぎ度、肥満傾向度、減量傾向度、脱水度、むくみ度、疲労度等が健康状態指数として表示部５に表示される。なお基準値は、過去に測定された体重値や生体インピーダンス値に基づき演算処理部１３によって算出され、記憶部１６に記憶されている。基準値の詳細については、後述する。
【００９８】
次に演算処理部１３（図４参照）について説明する。
【００９９】
健康状態判定装置１における各種デ−タの演算処理は、演算処理部１３によって行われる。演算処理部１３は、中央処理部１５と記憶部１６とを備えている。
【０１００】
中央処理部１５は、記憶部１６に記憶されているデ−タや各種のプログラムル−チンに基づいて、演算及び判定処理等を行う。例えば、中央処理部１５では、測定された現在の体重値や生体インピーダンス値を、基準値と比較することにより、各種健康状態指数（食べ過ぎ度、飲み過ぎ度、肥満傾向度、減量傾向度、脱水度、むくみ度、疲労度等）を求める。
【０１０１】
また中央処理部１５は基準値の算出も行う。基準値は、過去に測定された体重値  及び／又は  過去に測定された生体インピーダンス値に基づいて算出される。
【０１０２】
記憶部１６には、操作部６の入力キ−６ａ〜６ｇの操作を介して入力された、身体特定情報の各々や、電極Ｅ１〜Ｅ８を介して測定された被検者の身体各部位の生体インピーダンス値、即ち左腕の生体インピーダンス値Ｚ１、右腕の生体インピーダンス値Ｚ２、体幹部の生体インピーダンス値Ｚ３、左脚の生体インピーダンス値Ｚ４、右脚の生体インピーダンス値Ｚ５等を記憶することができる。
【０１０３】
さらに、測定された体重値や及び生体インピーダンス値を計時手段１４から得られる時間情報（測定の日時に関する情報）と共に記憶することができる。また、前記各種健康状態（食べ過ぎ度、飲み過ぎ度、肥満傾向度、減量傾向度、脱水度、むくみ度、疲労度等）
の判定のために必要となる基準値をそれぞれ記憶することができる。
【０１０４】
さらに記憶部１６には、生体インピーダンス値を算出するための計算式や、各種の基準値を演算するための演算式や、健康状態判定装置１の各動作モードに対応した動作ルーチンプログラム、各種判定のための動作ルーチンプログラムなどが記憶されている。
【０１０５】
健康状態判定装置１の有する主な動作モ−ドは、初期設定モ−ド、測定モ−ド、登録モ−ド、判定モード等である。これらの動作モードのうちのいずれの動作モードで健康状態判定装置１を動作させるかは、各種モード切替キー６ｂを操作することによって決定することができる。
【０１０６】
初期設定モ−ドは、現在時刻の設定及び変更を行うモ−ドである。
【０１０７】
測定モ−ドは、被検者の体重値及び身体各部位の生体インピーダンス値の測定を行うための動作モ−ドである。
【０１０８】
登録モ−ドは、身体特定情報（身長、体重、年齢、性別等）及び各種測定データの記憶部１６への登録を行うためのモ−ドである。
【０１０９】
判定モードは、被検者の生体インピーダンス値や体重値に関する現在値を、過去の測定値から求めた基準値と比較することにより、被検者の健康状態を判定する動作モードである。
【０１１０】
健康状態判定装置１においては、電源キ−６ａを操作すると電源ＯＦＦの状態から電源ＯＮの状態になる。すると、健康状態判定装置１は、待機状態になる。健康状態判定装置１が待機状態にあるときに、モード切替キー６ｂを操作することによって、動作モ−ドを選択することができる。
【０１１１】
健康状態判定装置１は、新品の状態では、初期設定は全くなされていない。よって新品の健康状態判定装置１を購入した場合は、まず、初期設定を行う必要がある。初期設定は初期設定モードにおいて行うことができる。
【０１１２】
健康状態判定装置１を初期設定モードに設定すると、操作部６のテンキ−６ｆや設定画面切り替えキ−６ｃなどを使って、その時の年、月、日、時刻のデ−タを、順次、入力することができる。これら入力されたデータは計時手段が出力する日時情報の基礎になる。
【０１１３】
健康状態判定装置１が初期設定されている場合は、健康状態判定装置１を測定モ−ドに設定することによって、被検者の体重値及び身体の部位別の生体インピ−ダンス値を測定することができる。また、これらの測定値を、計時手段１４から得た日時情報と共に記憶部１６に記憶することができる。
【０１１４】
なお、前述したように、被検者の体重値を測定するには、被検者が体重測定部４に乗る必要がある。
【０１１５】
また、被検者の生体インピーダンス値を測定するには、被検者が体重測定部４に乗り、かつ、本体部２を両手で把持する必要がある。正確な生体インピーダンス値の測定のためには、体重測定部４の測定面９上に載せた足の状態がつぎのような状態でなければならない。つまり、左足母子丘部分が電極Ｅ５（図２参照）に接触しており、左足の裏の踵部分が電極Ｅ６に接触しており、右足母子丘部分が電極Ｅ８に接触しており、右足の裏の踵部分が電極Ｅ７に接触しており、左手の人指し指が電極Ｅ１に接触しており、左手の親指が
電極Ｅ２に接触しており、右手の人指し指が電極Ｅ４に接触しており、右手の親指が電極Ｅ３に接触していなければならない。
【０１１６】
各電極への接触が上記のように適正になされている状態で、測定キ−６ｇ（図３参照）をＯＮ状態に操作すると、身体各部位の生体インピ−ダンス値の測定が開始される。
【０１１７】
この測定中に、電圧用電極から検出される電圧がまだ安定していないと判断されると、表示部に「測定中」と表示される。電圧用電極から検出される電圧が安定したと判断されると、このときの測定電圧に基づき、身体各部位の生体インピーダンス値が算出される。この算出は、演算処理部１３が行う。
【０１１８】
次に、登録モ−ドについて説明する。
【０１１９】
健康状態判定装置１を登録モードに設定すると、身体特定情報を記憶部１６に登録することができる。より具体的に説明すると、健康状態判定装置１が登録モードに設定されている状態において、設定画面切り替えキー６ｃを操作すると、健常状態判定装置１は、身長入力モード、年齢入力モード、性別選択モード等に順次切り換えられる。これら各入力モード（選択モード）において、テンキー６ｆからデータを入力するとこのデータが記憶部１６に登録（記憶）される。
【０１２０】
健康状態判定装置１は、過去に測定した体重値や過去に測定した生体インピーダンス値に基づいて基準値を設定し、この基準値と現在の測定値とを比較することによって、被検者の前記各種健康状態（食べ過ぎ度、飲み過ぎ度、肥満傾向度、減量傾向度、脱水度、むくみ度、疲労度等）を判定する。
【０１２１】
健康状態判定装置１が新品の状態では、体重値や生体インピーダンス値の過去の測定値が記憶部１６に記憶されていない。しかし、健康状態判定装置１によって被検者の体重値測定や生体インピーダンス値測定が複数回行われると、これらの測定によって得られた測定値が測定日時データとともに、過去の測定値として記憶部１６に蓄積されてゆく。そうすると、基準値の設定が可能となり、被検者の前記各種健康状態（食べ過ぎ度、飲み過ぎ度、肥満傾向度、減量傾向度、脱水度、むくみ度、疲労度等）を判定することができるようになる。
【０１２２】
次に、健康状態判定装置１によって、過去に複数回の体重値や生体インピーダンス値が測定されており、これら測定値が測定日時データと共に記憶部に記憶されていることを前提として、被検者の各種健康状態が具体的にどのように判定されるのかを説明する。これら判定は、健康状態判定装置１を判定モードにすることにより行なわれる。
【０１２３】
なお、被検者の各種健康状態判定項目のうちのいずれを判定するかは、操作部６を操作することにより選択することができる。
【０１２４】
まず一例として、被検者の健康状態判定項目の一つであるである、脱水状態の有無がどのように判定されるのかを、図６、７、８、９、１０を参照しつつ説明する。
【０１２５】
前述したとおり、現時点における被検者の健康状態を判定するには、過去に測定された体重値や生体インピーダンス値に基づいて基準値を設定する必要がある。
【０１２６】
図６は、過去に測定された生体インピーダンス値に基づいて、生体インピーダンス値の基準値を求めるためのフローチャートである。図６のフローチャートは、過去の測定値の中から、現時点の測定の測定時刻と同時刻に測定されたものを抽出し、これら抽出された
測定値から基準値を設定する工程を示している。過去の複数の日において測定がされていたとしても、毎回、同時刻に測定がされていることはまれである。通常は、測定時刻は測定日によってまちまちである。一日の内でも時刻によって生体インピーダンス値が変化することは前述したとおりである。よって、測定時刻を考慮することなく、単純に過去の測定値を平均化して基準値を設定するよりも、現時点の測定時刻と同時刻での測定による測定値のみを用いて基準値を設定した方が、より適正な判定ができるのである。例えば、現時点の時刻（現時点における測定の測定時刻）が午後３時であるとすれば、過去の複数日における測定から得られた複数の測定値の中から、午後３時又はそれに近い時刻での測定によって得られた測定値のみを用いて、基準値を設定するのである。基準値の設定の方法は、特に限定する必要はないが、例えば最頻値を基準値としてもよいし、中央値を基準値として設定してもよいし、平均値を基準値としてもよい。
【０１２７】
このフローチャートに示される工程を実行するためのフログラムは記憶部１６に格納されており、このプログラムを中央処理部１５が実行する。
【０１２８】
図６のフローチャートに従って説明すると、まず、脱水異常を判定しようとする現時点における時刻を計時手段１４から読み込む（ステップ１）。
【０１２９】
次に、記憶部１６に記憶されている、過去の測定による生体インピーダンス値の測定値のなかから、現在の測定の測定時刻と略同時刻の測定によって得られた測定値のみを抽出する（ステップ２）。
【０１３０】
次に、これらの抽出された測定値の最頻値を基準値とするか否かが被検者に問われる（ステップ３）。被検者は操作部６を操作することにより、最頻値を基準値とするか否かを決定する。
【０１３１】
被検者が最頻値を基準値とすることを決定すると、ステップ２で抽出された過去の測定値の最頻値が基準値として演算される（ステップ４）。
【０１３２】
ステップ３において、被検者が最頻値を基準値とはしないと決定すると、次に、ステップ２で抽出された測定値の中央値を基準値とするか否かが被検者に問われる（ステップ５）。被検者は操作部６を操作することにより、中央値を基準値とするか否かを決定する。
【０１３３】
被検者が中央値を基準値とすることを決定すると、抽出された過去の測定値の中央値が基準値として演算される（ステップ６）。
【０１３４】
ステップ５において、被検者が中央値を基準値とはしないと決定すると、次に、ステップ２で抽出された測定値の平均値を基準値とするか否かが被検者に問われる（ステップ７）。被検者は操作部を操作することにより、平均値を基準値とするか否かを決定する。
【０１３５】
被検者が平均値を基準値とすることを決定すると、抽出された過去の測定値の平均値が基準値として演算される（ステップ８）。
【０１３６】
そしてステップ４、ステップ６  又は  ステップ８によって演算された基準値（生体インピーダンス値の基準値）が、記憶部１６に記憶される（ステップ９）。
【０１３７】
ステップ７において、被検者が平均値を基準値とはしないと決定すると、再度、現時点の時刻の読み込みからやり直す（ステップ１）。
【０１３８】
なお、基準値算出のためには、過去の測定値を用いるのであるが、どの程度の長さの期
間から、基準値の基礎となる過去の測定値を抽出するのかを選択できるようにすることが望ましい。例えば、週単位で過去1〜１２週間のうちから任意の期間（つまり、１週間、
２週間、３週間、４週間、５週間、６週間、７週間、８週間、９週間、１０週間、１１週間  および  １２週間のうちからの任意の一の期間）を選ぶことができるようにしてもよいし、月単位で過去４ヶ月〜６ヶ月のうちから任意の期間（つまり、４ヶ月、５ヶ月  および  ６ヶ月のうちからの任意の一の期間）を選ぶことができるようにしてもよいし、３ヶ月を単位として、過去６ケ月〜２４ケ月月のうちから任意の期間（つまり、６ヶ月、９ヶ月、１２ヶ月、１５ヶ月、１８ヶ月、２１ヶ月  および  ２４ヶ月のうちからの任意の一の期間）を選ぶことができるようにしてもよい。
【０１３９】
以上、図６により、生体インピーダンス値の基準値を設定する工程を示したが、生体インピーダンス値の基準値は、図７のフローチャートに示される工程によって設定してもよい。
【０１４０】
図７のフローチャートで示す工程では、過去に測定された体重値と生体インピーダンス値とに基づいて、生体インピーダンス値の基準値が設定される。より具体的に説明すると、まず、過去に測定された体重値の最頻値を求める。次に、該最頻値が測定されたときの、生体インピーダンス値の測定値から生体インピーダンス値の基準値を設定するのである。
【０１４１】
これにより仮想的に体重変化のないときの生体インピーダンス値を基準値とすることができる。つまり、体重変化の影響を除去して、適正な健康状態判定を行うことができる。
【０１４２】
例えば、健康状態判定装置１により、過去の連続した９日間に渡って体重値と生体インピーダンス値とを測定したとする。下表（表３）は、その測定結果を示す表である。
【０１４３】
【表３】
2010148971.tif 000005
【０１４４】
表３中の「ＩＭＰ」とは、測定された生体インピーダンス値のことである。表３に示す生体インピーダンス値（単位はオーム）と体重値のデータは、測定日時とともに、全て記憶部１６に記憶されている。なお、測定された生体インピーダンス値や体重値は、後に最頻値を選びやすくするように、四捨五入などによる丸め処理をしてから記憶部１６に記憶させるようにしてもよい。
【０１４５】
表３からも理解されるように、９回の体重測定によって得られた体重値の測定値の最頻値は７０ｋｇである。体重値の測定値が７０ｋｇとなった日は、１日目と３日目と５日目と６日目と８日目である。１日目における生体インピーダンス値の測定値は６７５オームであり、３日目における生体インピーダンス値の測定値は６８５オームであり、５日目における生体インピーダンス値の測定値は６６０オームであり、６日目における生体インピ
ーダンス値の測定値は６８０オームであり、８日目における生体インピーダンス値の測定値は６８５オームである。
【０１４６】
このような場合、図７のフローチャートに示す工程によれば、１日目の６７５オームと、３日目の６８５オームと、５日目の６６０オームと、６日目の６８０オームと、８日目の６８５オームと基づき、生体インピーダンス値の基準値が設定される。
【０１４７】
図７のフローチャートに従って説明すると、まず、記憶部１６から過去の測定による体重値の測定値と生体インピーダンス値の測定値とを読み込む（ステップ１）。
【０１４８】
次に、ステップ１で読み込んだ体重値の測定値から、最頻値を求める（ステップ２）。
【０１４９】
次に、最頻値の体重値が測定されたときに、同時に測定された生体インピーダンス値のみを抽出する（ステップ３）。
【０１５０】
次に、ステップ３で抽出された生体インピーダンス値の測定値の最頻値を生体インピーダンス値の基準値とするか否かが被検者に問われる（ステップ４）。被検者は操作部６を操作することにより、この最頻値を基準値とするか否かを決定する。
【０１５１】
被検者が最頻値を基準値とすることを決定すると、ステップ３で抽出された生体インピーダンス値の測定値の最頻値が基準値として演算される（ステップ５）。表３に示す測定例において、最頻値は６８５オームである。
【０１５２】
ステップ４において、被検者が、抽出された生体インピーダンス値の最頻値を基準値とはしないと決定すると、次に、ステップ３で抽出された生体インピーダンス値の測定値の中央値を生体インピーダンス値の基準値とするか否かが被検者に問われる（ステップ６）。被検者は操作部６を操作することにより、この中央値を基準値とするか否かを決定する。
【０１５３】
被検者が中央値を基準値とすることを決定すると、ステップ３で抽出された生体インピーダンス値の測定値の中央値が基準値として演算される（ステップ７）。表３に示す測定例において、中央値は６８０オームである。
【０１５４】
ステップ６において、被検者が、抽出された生体インピーダンス値の中央値を基準値とはしないと決定すると、次に、ステップ３で抽出された生体インピーダンス値の測定値の平均値を生体インピーダンス値の基準値とするか否かが被検者に問われる（ステップ８）。被検者は操作部６を操作することにより、この平均値を基準値とするか否かを決定する。
【０１５５】
被検者が平均値を基準値とすることを決定すると、ステップ３で抽出された生体インピーダンス値の測定値の平均値が基準値として演算される（ステップ９）。表３に示す測定例において、平均値は６７７オームである。
【０１５６】
そして、ステップ５、ステップ７  または  ステップ９により演算された基準値が、記憶部１６に記憶される（ステップ１０）。
【０１５７】
なお、ステップ８において、被検者が平均値を基準値とはしないと決定すると、再度、記憶部から過去の測定による体重値の測定値と生体インピーダンス値の測定値とを読み込むことからやり直す（ステップ１）。
【０１５８】
以上、図７により、生体インピーダンス値の基準値を設定する工程を示した。
【０１５９】
図６や図７のフローチャートに示すような工程により、生体インピーダンス値の基準値が設定されると、次に、この基準値を利用して、被検者が現在、脱水状態にあるか否かを判定する。
【０１６０】
図８は、この判定のための工程の一例を示すフローチャートである。
【０１６１】
このフローチャートが実行される前提として、現時点での生体インピーダンス値が測定されており、その測定値が記憶部１６に記憶されているものとする。
【０１６２】
図８に示すフローチャートの工程は、モード切替キー６ｂにより脱水異常判定モードを選択した上で、判定キー６ｅを押すことで開始される。
【０１６３】
図８のフローチャートに従って説明すると、まず、記憶部１６に記憶されている現時点での生体インピーダンス値を、記憶部１６から読み込む（ステップ１）。
【０１６４】
次に、記憶部１６に記憶されている、生体インピーダンス値の基準値を記憶部から読み込む（ステップ２）。
【０１６５】
次に、測定された現在の生体インピーダンス値（Ｚ）と基準値（Ｚｓ）とを比較する（ステップ３）。
【０１６６】
そして、現在の生体インピーダンス値（Ｚ）が基準値（Ｚｓ）よりも小さいか、もしくは等しければ、被検者に脱水異常は認められないと判定し、表示部に「正常」との表示がなされる（ステップ４）。
【０１６７】
一方、現在の生体インピーダンス値（Ｚ）が基準値（Ｚｓ）よりも大きければ、被検者は脱水状態にあると判定し、表示部に「体調注意」との表示がなされる（ステップ５）。
【０１６８】
図９は、図８のステップ５に対応した、表示部５の表示状態を示す図である。図９における「測定値」とは、測定された現在の生体インピーダンス値（Ｚ）のことである。図９の表示状態をより詳細に説明する。例えば、両腕のインピーダンス測定値によって脱水状態の判断をする場合には、現時点で両腕のインピーダンス値の測定を行う。そしての測定結果が７４５オームであり、両腕のインピーダンス値の基準値として６９５オームが得られたとする。すると、現時点の測定値が基準値よりも大きいこととなる。よって、脱水状態と判断され、判定結果として「体調注意」と表示されているのである。特に複数の周波数の交流電流を使用して測定した場合は、細胞内外の水分変動を把握することが容易であるので、より具体的な表示も可能となる。例えば、測定結果によって「二日酔い注意」と表示することもできる。
【０１６９】
なお、図９のような表示よりもさらに詳細に判定結果を表示するようにしてもよい。
【０１７０】
図１０は、脱水異常をより詳細に判定したときの、表示器５の表示状態を示す図である。図１０の表示では、脱水異常の状態を４段階に分類している。そして、図１０では、脱水度が「やや多い」との判定結果が示されている。
【０１７１】
このように判定結果のランクをより詳細に分類すると、被検者の健康状態を、より詳細に判定することができ、より適正な健康管理を行うことができる。
【０１７２】
以上、被検者の健康状態の一つであるである、脱水状態の有無がどのように判定されるのかを、図６、７、８、９、１０を参照しつつ説明した。
【０１７３】
なお、脱水状態と飲み過ぎ状態（飲酒過多状態）とは、密接に関係するので、図８のフローチャートと同様のフローチャート、又は、図８のフローチャートと類似のフローチャートによって、飲み過ぎ度を判定するようにしてもよい。
【０１７４】
次に他の例として、被検者の健康状態判定項目の一つであるである、肥満傾向の有無がどのように判定されるのかを、図１１、１２、１３を参照しつつ説明する。
【０１７５】
前述したとおり、被検者の健康状態を判定するには、過去に測定された体重値や生体インピーダンス値に基づいて基準値を設定する必要がある。ここでの肥満傾向の有無の判定においては、過去に測定された体重値に基づいて基準値を設定する。
【０１７６】
図６のフローチャートを参照しつつ、過去に測定された生体インピーダンス値に基づいて、生体インピーダンス値の基準値を設定するための工程を説明した。図６のフローチャートに示す工程と同様の工程により、体重値の基準値を設定することができる。体重値の基準値の設定のためには、もちろん、測定対象項目が生体インピ−ダンス値ではなく、体重値でなければならない。
【０１７７】
より詳細に説明すると、体重値の基準値の設定のためには、まず、計時手段１４から時刻を読み込む。次に、記憶部１６から過去の測定による体重値の測定値を、その測定がされた測定時刻とともに読み込み、現在の時刻と略同時刻の測定によって得られた測定値を抽出する。次に、この抽出された測定値の最頻値、中央値、平均値のいずれを基準値とするかを被検者に選択させる。そして、被検者が選択した値を基準値として算出し、この算出結果を基準値として記憶部１６に記憶させるのである。
【０１７８】
このように、図６に示すフローチャートと同様の工程によって体重値の基準値が設定されると、次に、この基準値を利用して、被検者が現在、肥満傾向の状態にあるか否かを判定する。
【０１７９】
図１１は、この判定のための工程の一例を示すフローチャートである。
【０１８０】
このフローチャートが実行される前提として、現時点での体重値が測定されており、その測定値が記憶部１６に記憶されているものとする。
【０１８１】
図１１に示すフローチャートの工程は、モード切替キー６ｂにより肥満傾向判定モードを選択した上で、判定キー６ｅを押すことで開始される。
【０１８２】
図１１のフローチャートに従って説明すると、まず、記憶部１６に記憶されている現時点での体重値（Ｗ）を、記憶部１６から読み込む（ステップ１）。
【０１８３】
次に、記憶部１６に記憶（設定）されている、体重値の基準値を記憶部１６から読み込む（ステップ２）。
【０１８４】
次に、測定された現在の体重値（Ｗ）と基準値（Ｗｓ）とを比較する（ステップ３）。
【０１８５】
そして、現在の体重値（Ｗ）が基準値（Ｗｓ）よりも小さいか、もしくは等しければ、被検者に肥満傾向は認められないと判定し、表示部５に「正常」との表示がなされる（ステップ４）。
【０１８６】
一方、現在の体重値（Ｗ）が基準値（Ｗｓ）よりも大きければ、被検者は肥満傾向にあると判定し、表示部５に「食べ過ぎ」との表示がなされる（ステップ５）。
【０１８７】
図１２は、図１１のステップ５に対応した、表示部５の表示状態を示す図である。図１２における「測定値」とは、測定された現在の体重値（Ｗ）のことである。図１２の表示状態をより詳細に説明すると、基準値が７０ｋｇであるところ、現時点の測定値が７２ｋｇであったので、現時点の測定値が基準値よりも大きいことになる。よって、判定結果として「食べ過ぎ」と表示されているのである。
【０１８８】
なお、図１２のような表示よりもさらに詳細に判定結果を表示するようにしてもよい。
【０１８９】
図１３は、肥満傾向をより詳細に判定したときの、表示器５の表示状態を示す図である。図１３の表示では、肥満傾向の度合いを４段階に分類している。そして、図１３では、肥満傾向が「やや多い」との判定結果が示されている。このように判定結果のランクをより詳細に分類すると、被検者の種健康状態を、より詳細に判定することができ、より適正な健康管理を行うことができる。
【０１９０】
以上、被検者の健康状態の一つであるである、肥満傾向度がどのように判定されるのかを、図１１、１２、１３を参照しつつ説明した。
【０１９１】
次に他の例として、被検者の健康状態判定項目の一つであるである、むくみの有無がどのように判定されるのかを、図１４、１５、１６、１７を参照しつつ説明する。
【０１９２】
前述したとおり、被検者の健康状態を判定するには、過去に測定された体重値や生体インピーダンス値に基づいて基準値を設定する必要がある。
【０１９３】
図１４は、過去に測定された生体インピーダンス値に基づいて、生体インピーダンス値の日内変化率の基準値を求めるためのフローチャートである。図１４のフローチャートは、過去の測定日に測定された体重値や生体インピーダンス値から日内変化率の基準値を設定する工程を示している。日内変化率とは、一日のうちのより早い時刻における測定値に対する、より遅い時刻における測定値の変化率のことである。例えば、過去の複数の日において、朝（又は起床時）と夕方（又は就寝前）とに体重値と生体インピーダンス値とが測定されているとする。そうすると、過去の各測定日毎に、朝（又は起床時）から夕方（又は就寝前）にかけて、体重値や生体インピーダンス値がどのような割合で変化したかを求めることができる。被検者にむくみが生じている場合は、朝（又は起床時）よりも夕方（又は就寝前）の方が、身体中の水分量が多くなる傾向が強くなる。身体中の水分量が多くなると、生体インピーダンス値は低くなる。よって、過去の日における生体インピーダンス値の日内変化率を基準として、これと現在日における生体インピーダンス値の日内変化率とを比較することにより、被検者にむくみが生じているか否かを判定することができるのである。例えば、過去の複数日において、朝の時間帯（又は起床時）と夕方の時間帯（又は就寝前）において、体重値と生体インピーダンス値とが測定され、これら測定値が記憶部１６に記憶されているとする。すると、過去の日内変化率を複数求めることができる。この複数の日内変化率を用いて、日内変化率の基準値を設定するのである。基準値の設定の方法は、特に限定する必要はないが、例えば最頻値を基準値としてもよいし、中央値を基準値としてもよいし、平均値を基準値としてもよい。
【０１９４】
図１４のフローチャートに示される工程を実行するためのフログラムは記憶部１６に格納されており、このプログラムを中央処理部１５が実行する。
【０１９５】
図１４のフローチャートに従って説明すると、まず、記憶部１６に記憶されている、過去の測定による生体インピーダンス値の測定値を用いて、複数の過去の日内変化率を求める（ステップ１）。
【０１９６】
次に、これら複数の過去の日内変化率の最頻値を基準値とするか否かが被検者に問われる（ステップ２）。被検者は操作部６を操作することにより、最頻値を基準値とするか否かを決定する。
【０１９７】
被検者が最頻値を基準値とすることを決定すると、最頻値が基準値として演算される（ステップ３）。
【０１９８】
ステップ２において、被検者が最頻値を基準値とはしないと決定すると、次に、中央値を基準値とするか否かが被検者に問われる（ステップ４）。被検者は操作部６を操作することにより、中央値を基準値とするか否かを決定する。
【０１９９】
被検者が中央値を基準値とすることを決定すると、中央値が基準値として演算される（ステップ５）。
【０２００】
ステップ４において、被検者が中央値を基準値とはしないと決定すると、次に、平均値を基準値とするか否かが被検者に問われる（ステップ６）。被検者は操作部６を操作することにより、平均値を基準値とするか否かを決定する。
【０２０１】
被検者が平均値を基準値とすることを決定すると、平均値が基準値として演算される（ステップ７）。
【０２０２】
そして、ステップ３、ステップ５  または  ステップ７により演算された基準値が、記憶部１６に記憶される（ステップ８）。
【０２０３】
なお、ステップ６において、被検者が平均値を基準値とはしないと決定すると、再度、記憶部１６からの過去の測定値の読み込みからやり直す（ステップ１）。
【０２０４】
以上、図１４により、生体インピーダンス値の日内変化率の基準値を設定する工程を示した。
【０２０５】
図１４のフローチャートに示すような工程により、生体インピーダンス値の日内変化率の基準値が設定されると、次に、この基準値を利用して、被検者が現在、むくみの状態にあるか否かを判定する。
【０２０６】
図１５は、この判定のための工程の一例を示すフローチャートである。
【０２０７】
このフローチャートが実行される前提として、現在日の生体インピーダンス値が、朝の時間帯（又は起床時）と夕方の時間帯（又は就寝前）において測定されており、これら測定値（現在日の朝の時間帯（又は起床時）の生体インピーダンス値の測定値と、現在日の夕方の時間帯（又は就寝前）の生体インピーダンス値の測定値）が記憶部１６に記憶されているものとする。
【０２０８】
図１５に示すフローチャートの工程は、モード切替キー６ｂによりむくみ判定モードを選択した上で、判定キー６ｅを押すことで開始される。
【０２０９】
図１５のフローチャートに従って説明すると、まず、記憶部１６に記憶されている現在
日の朝の時間帯（又は起床時）の生体インピーダンス値の測定値と、現在日の夕方の時間帯（又は就寝前）の生体インピーダンス値の測定値）とが、記憶部１６から読み込まれ、現在日の生体インピーダンス値の日内変化率が算出される（ステップ１）。
【０２１０】
次に、記憶部１６に記憶されている、生体インピーダンス値の日内変化率の基準値を記憶部１６から読み出す（ステップ２）。
【０２１１】
次に、現在日の生体インピーダンス値の日内変化率と基準値とを比較する（ステップ３）。
【０２１２】
そして、現在日の日内変化率が基準値よりも大きいか、もしくは等しければ、被検者にむくみは認められないと判定し、表示部５に「正常」との表示がなされる（ステップ４）。
【０２１３】
一方、現在日の日内変化率が基準値よりも小さければ、被検者はむくみ状態にあると判定し、表示部５に「むくみぎみ」との表示がなされる（ステップ５）。
【０２１４】
図１６は、図１５のステップ５に対応した、表示部５の表示状態を示す図である。図１６における「測定値」とは、測定された現在日の生体インピーダンス値の変化率のことである。図１６の表示状態をより詳細に説明する。例えば、起床時に右脚のインピーダンス値が測定され、その日の夕方に再度右脚のインピーダンス値が測定されたとする。起床時の測定値が２２７オームで、夕方の測定値が２０８オームであったとする。するとその日の日内変化率（夕方のインピーダンス値÷起床時のインピーダンス値）は、９１．６％となる。基準値が９５％であるので、その日の日内変化率が基準値よりも低いことになり、むくみが生じていると判定され、判定結果として「むくみぎみ」と表示されている。
【０２１５】
なお、仮に、起床時の測定値が２３６オームで、夕方の測定値が２３３オームであったとすれば、その日の日内変化率（夕方のインピーダンス値÷起床時インピーダンス値）は、９８．７％である。基準値が９５％であるから、その日の日内変化率が基準値よりも高いことになり、むくみが生じていないと判定され、判定結果としては「正常」と表示される。
【０２１６】
なお、図１６のような表示よりもさらに詳細に判定結果を表示するようにしてもよい。
【０２１７】
図１７は、むくみの度合いをより詳細に判定したときの、表示器５の表示状態を示す図である。図１７の表示では、むくみの度合いを４段階に分類している。そして、図１７では、むくみ度が「やや多い」との判定結果が示されている。
【０２１８】
このように判定結果のランクをより詳細に分類すると、被検者の種健康状態を、より詳細に判定することができ、より適正な健康管理を行うことができる。
【０２１９】
以上、被検者の健康状態の一つであるである、むくみの有無がどのように判定されるのかを、図１４、１５、１６、１７を参照しつつ説明した。
【０２２０】
なお、むくみの度合いと疲労度とは、密接に関係するので、図１５のフローチャートと同様のフローチャート、又は、図１５のフローチャートと類似のフローチャートによって、疲労度を判定するようにしてもよい。
【０２２１】
次に他の例として、被検者の健康状態判定項目の一つであるである、減量傾向度がどのように判定されるのかを、図１８、１９、２０を参照しつつ説明する。
【０２２２】
前述したとおり、被検者の健康状態を判定するには、過去に測定された体重値や生体インピーダンス値に基づいて基準値を設定する必要がある。ここでの減量傾向度の判定においては、過去に測定された体重値に基づいて基準値を設定する。
【０２２３】
図１４のフローチャートを参照しつつ、過去に測定された生体インピーダンス値に基づいて、生体インピーダンス値の日内変化率の基準値を設定するための工程を説明した。図１４のフローチャートに示す工程と同様の工程により、体重値の日内変化率の基準値を設定することができる。体重値の日内変化率の基準値の設定のためには、もちろん、測定対象項目が生体インピ−ダンス値ではなく、体重値でなければならない。
【０２２４】
より詳細に説明すると、体重値の日内変化率の基準値を設定するには、まず、記憶部１６から、過去の測定による体重値の測定値を読み込み、読み込んだ測定値から、複数の過去の日内変化率を求める。次に、このようにして求めた複数の過去の日内変化率の最頻値、中央値、平均値のいずれを基準値とするかを被検者に選択させる。そして、被検者が選択した値を基準値として算出し、この算出結果を基準値として記憶部１６に記憶させるのである。
【０２２５】
このように、図１４に示すフローチャートと同様の工程によって体重値の日内変化率の基準値が設定されると、次に、この基準値を利用して、被検者が現在、減量傾向の状態にあるか否かを判定する。
【０２２６】
図１８は、この判定のための工程の一例を示すフローチャートである。
【０２２７】
このフローチャートが実行される前提として、現在日の体重値が、朝の時間帯（又は起床時）と夕方の時間帯（又は就寝前）において測定されており、これら測定値（現在日の朝の時間帯（又は起床時）の体重値の測定値と、現在日の夕方の時間帯（又は就寝前）の体重値の測定値）が記憶部１６に記憶されているものとする。
【０２２８】
図１８に示すフローチャートの工程は、モード切替キー６ｂにより減量傾向度判定モードを選択した上で、判定キー６ｅを押すことで開始される。
【０２２９】
図１８のフローチャートに従って説明すると、まず、記憶部１６に記憶されている現在日の朝の時間帯（又は起床時）の体重値の測定値と、現在日の夕方の時間帯（又は就寝前）の体重値の測定値とが、記憶部１６から読み込まれ、現在日の体重値の日内変化率が算出される（ステップ１）。
【０２３０】
次に、記憶部１６に記憶（設定）されている、体重値の日内変化率の基準値を記憶部１６から読み出す（ステップ２）。
【０２３１】
次に、算出された現在日の体重値の日内変化率（ΔＷ）と基準値（ΔＷｓ）とを比較する（ステップ３）。
【０２３２】
そして、現在日の体重値の日内変化率（ΔＷ）が基準値（ΔＷｓ）よりも大きいか、もしくは等しければ、被検者に減量傾向は認められないと判定し、表示部５に「変化なし」との表示がなされる（ステップ４）。
【０２３３】
一方、現在日の体重値の日内変化率（ΔＷ）が基準値（ΔＷｓ）よりも小さければ、被検者は減量傾向にあると判定し、表示部５に「減量ぎみ」との表示がなされる（ステップ５）。
【０２３４】
図１９は、図１８のステップ５に対応した、表示部５の表示状態を示す図である。図１９における「測定値」とは、現在日の体重値の日内変化率（ΔＷ）のことである。図１９の表示状態をさらに詳細に説明すると、基準値が７０％であり、現在日の体重値の日内変化率（ΔＷ＝就寝前の体重値÷起床時の体重値）が６９％であり、その結果「減量ぎみ」との判定結果が表示されているのである。
【０２３５】
なお、図１９のような表示よりもさらに詳細に判定結果を表示するようにしてもよい。
【０２３６】
図２０は、減量傾向をより詳細に判定したときの、表示器５の表示状態を示す図である。図２０の表示では、減量傾向の度合いを４段階に分類している。そして、図２０では、減量傾向が「やや多い」との判定結果が示されている。このように判定結果のランクをより詳細に分類すると、被検者の種健康状態を、より詳細に判定することができ、より適正な健康管理を行うことができる。
【０２３７】
以上、被検者の健康状態の一つであるである、減量傾向度がどのように判定されるのかを、図１８、１９、２０を参照しつつ説明した。
【０２３８】
以上、被検者の生体インピーダンス値  及び／又は  体重値の測定値に基づいて、被検者の健康状態（脱水状態、飲み過ぎ度、肥満傾向（食べ過ぎ度）、むくみ、疲労度、減量傾向度など）を判定する判定装置  及び  判定プログラムの例を説明した。
【０２３９】
しかし、健康状態をより的確に判定するために、被検者の生体インピーダンス値や体重値のみならず、被検者の身体特定情報をも、健康状態判定の基礎として用いてもよい。身体特定情報とは、例えば、被検者の性別、身長、年令など、被検者の個人的な身体に関する情報である。この身体特定情報を健康状態判定の基礎とすることにより、被検者の健康状態をより的確に判定することが期待できる。
【０２４０】
身体特定情報を被検者の健康状態判定の基礎とするためには、例えば、健康状態判定装置の操作部６を、身体特定情報を入力するための入力手段として利用すればよい。
【０２４１】
以上、本願発明の実施例を図面を参照しつつ説明した。
【産業上の利用可能性】
【０２４２】
本願の健康状態判定装置および健康状態判定用プログラムによれば、現在の被検者の健康状態をより適正に判定できるので、健康管理装置の技術分野に利用できる。
【符号の説明】
【０２４３】
１  健康状態判定装置
２  本体部
３  信号ケーブル
４  体重測定部
５  表示部
６  操作部
７ａ  左突出部
７ｂ  右突出部
８  インピーダンス測定回路
９  測定面
１０  ロードセル
１２  Ｉ／Ｏポート
１３  演算処理部
１４  計時手段
１５  中央処理部
１６  記憶部
Ｅ１〜Ｅ８  電極
【図１】
2010148971.tif 000006
【図２】
2010148971.tif 000007
【図３】
2010148971.tif 000008
【図４】
2010148971.tif 000009
【図５】
2010148971.tif 000010
【図６】
2010148971.tif 000011
【図７】
2010148971.tif 000012
【図８】
2010148971.tif 000013
【図９】
2010148971.tif 000014
【図１０】
2010148971.tif 000015
【図１１】
2010148971.tif 000016
【図１２】
2010148971.tif 000017
【図１３】
2010148971.tif 000018
【図１４】
2010148971.tif 000019
【図１５】
2010148971.tif 000020
【図１６】
2010148971.tif 000021
【図１７】
2010148971.tif 000022
【図１８】
2010148971.tif 000023
【図１９】
2010148971.tif 000024
【図２０】
2010148971.tif 000025
【図２１】
2010148971.tif 000026
【手続補正書】
【提出日】平成22年4月5日(2010.4.5)
【手続補正１】
【補正対象書類名】明細書
【補正対象項目名】００３７
【補正方法】変更
【補正の内容】
【００３７】
上記課題を解決するために、この出願に係る健康状態判定装置は、被検者の身体のインピ−ダンス値を測定するための測定手段と、記憶手段と、基準値設定手段と、判定手段と、表示手段とを備え、該記憶手段は、該測定手段により測定された測定値を測定日時と共に記憶し、該基準値設定手段は、過去に該測定手段により測定されて該記憶手段に記憶された過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、該判定手段は、該基準値と現在値とを比較することにより、被検者の現在の健康状態を判定し、該現在値は、現在日の内の複数回のインピーダンス値の測定によって得られる、現在日のインピーダンス値の日内の変化指標値に基づいて設定され、該表示手段は、該判定手段による該判定の結果を表示する。
【手続補正２】
【補正対象書類名】明細書
【補正対象項目名】００３８
【補正方法】変更
【補正の内容】
【００３８】
また、上記課題を解決するために、この出願に係る健康状態判定用プログラムは、被検者の現在の健康状態の判定演算を、演算手段としてのコンピュータに実行させるための健康状態判定用プログラムであって、記憶手段に記憶された過去の複数の測定値を読み込む読込工程と、読み込んだ該複数の測定値に基づいて基準値を設定する基準値設定工程と、該基準値と現在値とを比較することにより、被検者の現在の健康状態を判定する判定工程とを備え、該記憶手段に記憶され、該読込工程において読み込まれる過去の複数の測定値は、被検者の身体のインピ−ダンス値を測定するための測定手段によって過去に測定されたインピーダンス値の測定値であり、該過去の複数の測定値は、該測定手段による測定の日時と共に該記憶手段に記憶されており、該基準値設定工程では、該読込工程で読み込んだ、過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、該現在値は、該測定手段による、現在日の内の複数回のインピーダンス値の測定によって得られる、現在日のインピーダンス値の日内の変化指標値に基づいて設定される値である。
【手続補正３】
【補正対象書類名】明細書
【補正対象項目名】００３９
【補正方法】変更
【補正の内容】
【００３９】
本願発明は、上記のような構成であるため、被検者の生活習慣等が考慮された、より的確な健康状態の判定が可能となる。特に、現在日におけるインピーダンス値の日内変化を、過去の日内変化と比較するようにすることにより、単なる、一の時点における測定に基づく判定よりも、より的確に健康状態を判定することができる。
【手続補正４】
【補正対象書類名】明細書
【補正対象項目名】００４１
【補正方法】削除
【補正の内容】
【手続補正５】
【補正対象書類名】明細書
【補正対象項目名】００４２
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】変更
【補正の内容】
【００４４】
上記「課題を解決するための手段」に記載した健康状態判定装置において、さらに、該基準値設定手段により求められる、インピーダンス値の日内の変化指標値が、インピーダンス値の日内の変化率であり、現在日のインピーダンス値の日内の変化指標値が、現在日のインピーダンス値の日内の変化率であるようにしてもよい。また前記健康状態判定装置において、該基準値設定手段は、過去の複数日におけるインピーダンス値の日内の変化指標値の最頻値、中央値または平均値のいづれかを基準値として設定するようにしてもよい。また前記健康状態判定装置において、該表示手段は、むくみ度または疲労度を、該判定手段の判定の結果として表示するようにしてもよい。
【手続補正８】
【補正対象書類名】明細書
【補正対象項目名】００４５
【補正方法】削除
【補正の内容】
【手続補正９】
【補正対象書類名】明細書
【補正対象項目名】００４６
【補正方法】変更
【補正の内容】
【００４６】
また、上記した健康状態判定装置において、さらに、被検者の身体特定情報を入力するための入力手段をさらに備え、該判定手段は、該入力手段により入力された前記身体特定情報に基づいて被検者の現在の健康状態を判定するようにしてもよい。このように構成すると、被検者の個人的な身体特定情報が考慮されて、より的確に健康状態を判定することができる。ここに言う「身体特定情報」とは、被検者の身体の特徴を特定するための個人的な情報のことであり、例えば「性別」「年令」「身長」「体重」などのことである。
【手続補正１０】
【補正対象書類名】明細書
【補正対象項目名】００４７
【補正方法】削除
【補正の内容】
【手続補正１１】
【補正対象書類名】明細書
【補正対象項目名】００４８
【補正方法】削除
【補正の内容】
【手続補正１２】
【補正対象書類名】明細書
【補正対象項目名】００４９
【補正方法】削除
【補正の内容】
【手続補正１３】
【補正対象書類名】明細書
【補正対象項目名】００５０
【補正方法】変更
【補正の内容】
【００５０】
また、上記「課題を解決するための手段」に記載した健康状態判定用プログラムにおいて、さらに、該基準値設定工程では、インピーダンス値の日内の変化率を、インピーダンス値の日内の変化指標値として求め、現在日のインピーダンス値の日内の変化指標値として得られる値が、現在日のインピーダンス値の日内の変化率であるようにしてもよい。また前記健康状態判定用プログラムにおいて、該基準値設定工程では、過去の複数日におけるインピーダンス値の日内の変化指標値の最頻値、中央値または平均値のいづれかを基準値として設定するようにしてもよい。
【手続補正１４】
【補正対象書類名】明細書
【補正対象項目名】００５１
【補正方法】削除
【補正の内容】
【手続補正１５】
【補正対象書類名】明細書
【補正対象項目名】００５２
【補正方法】変更
【補正の内容】
【００５２】
また、上記した健康状態判定用プログラムにおいて、さらに、被検者の身体特定情報を入力するための入力手段に入力された前記身体特定情報を読み込む身体特定情報読込工程をさらに備え、該判定工程では、該身体特定情報に基づいて被検者の現在の健康状態を判定するようにしてもよい。このようにすると、被検者の個人的な身体特定情報が考慮されて、より的確に健康状態を判定することができる。ここに言う「身体特定情報」とは、被検者の身体の特徴を特定するための個人的な情報のことであり、例えば「性別」「年令」「身長」「体重」などのことである。
【手続補正１６】
【補正対象書類名】特許請求の範囲
【補正対象項目名】全文
【補正方法】変更
【補正の内容】
【特許請求の範囲】
【請求項１】
被検者の身体のインピ−ダンス値を測定するための測定手段と、
記憶手段と、
基準値設定手段と、
判定手段と、
表示手段とを備え、
該記憶手段は、該測定手段により測定された測定値を測定日時と共に記憶し、
該基準値設定手段は、過去に該測定手段により測定されて該記憶手段に記憶された過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、
該判定手段は、該基準値と現在値とを比較することにより、被検者の現在の健康状態を判定し、
該現在値は、現在日の内の複数回のインピーダンス値の測定によって得られる、現在日のインピーダンス値の日内の変化指標値に基づいて設定され、
該表示手段は、該判定手段による該判定の結果を表示する、健康状態判定装置。
【請求項２】
該基準値設定手段により求められる、インピーダンス値の日内の変化指標値が、インピーダンス値の日内の変化率であり、
現在日のインピーダンス値の日内の変化指標値が、現在日のインピーダンス値の日内の変化率である、請求項１記載の健康状態判定装置。
【請求項３】
該基準値設定手段は、過去の複数日におけるインピーダンス値の日内の変化指標値の最頻値、中央値または平均値のいづれかを基準値として設定する、請求項１又は２記載の健康状態判定装置。
【請求項４】
該表示手段は、むくみ度または疲労度を、該判定手段の判定の結果として表示する、請求項１乃至３のいずれか一の項に記載の健康状態判定装置。
【請求項５】
被検者の身体特定情報を入力するための入力手段をさらに備え、
該判定手段は、該入力手段により入力された前記身体特定情報に基づいて被検者の現在の健康状態を判定する、請求項１乃至４のいずれか一の項に記載の健康状態判定装置。
【請求項６】
被検者の現在の健康状態の判定演算を、演算手段としてのコンピュータに実行させるための健康状態判定用プログラムであって、
記憶手段に記憶された過去の複数の測定値を読み込む読込工程と、
読み込んだ該複数の測定値に基づいて基準値を設定する基準値設定工程と、
該基準値と現在値とを比較することにより、被検者の現在の健康状態を判定する判定工程とを備え、
該記憶手段に記憶され、該読込工程において読み込まれる過去の複数の測定値は、被検者の身体のインピ−ダンス値を測定するための測定手段によって過去に測定されたインピーダンス値の測定値であり、
該過去の複数の測定値は、該測定手段による測定の日時と共に該記憶手段に記憶されており、
該基準値設定工程では、該読込工程で読み込んだ、過去の複数回のインピ−ダンス値の測定による測定値から、一日の内に複数回のインピーダンス値の測定が行われた過去の複数日におけるインピーダンス値の日内の変化指標値を求め、該インピーダンス値の日内の変化指標値に基づいて基準値を設定し、
該現在値は、該測定手段による、現在日の内の複数回のインピーダンス値の測定によって得られる、現在日のインピーダンス値の日内の変化指標値に基づいて設定される値である、健康状態判定用プログラム。
【請求項７】
該基準値設定工程では、インピーダンス値の日内の変化率を、インピーダンス値の日内の変化指標値として求め、
現在日のインピーダンス値の日内の変化指標値として得られる値が、現在日のインピーダンス値の日内の変化率である、請求項６記載の健康状態判定用プログラム。
【請求項８】
該基準値設定工程では、過去の複数日におけるインピーダンス値の日内の変化指標値の最頻値、中央値または平均値のいづれかを基準値として設定する、請求項６又は７記載の健康状態判定用プログラム。
【請求項９】
被検者の身体特定情報を入力するための入力手段に入力された前記身体特定情報を読み込む身体特定情報読込工程をさらに備え、
該判定工程では、該身体特定情報に基づいて被検者の現在の健康状態を判定する、請求項６乃至８のいずれか一の項に記載の健康状態判定用プログラム。